(57)【要約】【課題】避難経路が塞がれている場合でも遭難者の生還率を高めることができる照明手段  付地震緊急救命装置を提供する。【解決手段】照明手段付地震緊急救命装置は装置本体１と、装置本体１内に設けられる地  震感知手段３と、装置本体１に取り付けられる照明手段２と、救援を要請する音声を放  送することができる音声放送手段７とを備える。【選択図】  図３
2014021967.tif 000002
【特許請求の範囲】
【請求項１】
装置本体と、前記装置本体内に設けられている地震感知手段と、前記装置本体に取り付けられている照明手段と、前記装置本体に取り付けられていて救援を要請する音声を放送することができる音声放送手段とを備えていることを特徴とする照明手段付地震緊急救命装置。
【請求項２】
前記音声放送手段は、音声を受信する受信器と、前記受信器が受信した音声を拡大して再生する放送器とを備えていることを特徴とする請求項１に記載の照明手段付地震緊急救命装置。
【請求項３】
前記照明手段は、前記装置本体から取り外すことができるものであり、
前記装置本体から電気の供給を受けて蓄電することができる充電式電池と、
前記装置本体から電気の供給を受けて発光することができると共に、前記装置本体から電気の供給を受けずに、前記充電式電池から電気の供給を受けて発光することもできる発光ユニットとを備えていることを特徴とする請求項１又は請求項２に記載の照明手段付地震緊急救命装置。
【請求項４】
救助隊が要救助地点を特定し易いように、超音波を発射する超音波発生装置を更に備えていることを特徴とする請求項１から請求項３のいずれか一項に記載の照明手段付地震緊急救命装置。
【請求項５】
前記装置本体内に救助用ロープが収容されていることを特徴とする請求項１から請求項４のいずれか一項に記載の照明手段付地震緊急救命装置。
【請求項６】
前記発光ユニットは、異なる複数の色の光を切り替えて発することができるように構成されていることを特徴とする請求項３に記載の照明手段付地震緊急救命装置。
【請求項７】
前記地震感知手段が地震の発生を感知すると、地震の発生を知らせる警報音を鳴らす警報手段を更に備えていることを特徴とする請求項１から請求項６のいずれか一項に記載の照明手段付地震緊急救命装置。
【発明の詳細な説明】
【技術分野】
【０００１】
本発明は照明手段付地震緊急救命装置に関し、特に地震の発生を感知できると共に、照明機能を備えている照明手段付地震緊急救命装置に関する。
【背景技術】
【０００２】
地震による被害を抑えるべく、建築構造を強化するなどの対策が取られている一方、地震の発生を早急に感知して避難を促す警報装置と、地震の発生時の避難を補助する照明手段とを一体化させてなる照明手段付地震緊急救命装置等も提供されている。
【０００３】
この種の照明手段付地震緊急救命装置は、例えば特許文献１に開示されたものがある。この従来の照明手段付地震緊急救命装置は、地震を感知して緊急照明を提供できると共に、避難経路に誘導する機能も備えている。
【先行技術文献】
【特許文献】
【０００４】
【特許文献１】台湾登録実用新案Ｍ２９１６４７号明細書
【発明の概要】
【発明が解決しようとする課題】
【０００５】
しかしながら、従来装置において、地震による構造物の崩落等で避難経路が塞がれている場合には、遭難者に対してそれ以上のサポートを提供することができず、脱出できない遭難者は行き詰まったまま生還できないこともある。
【０００６】
上記問題点に鑑みて、本発明は避難経路が塞がれている場合でも遭難者の生還率を格段に高めることができる照明手段付地震緊急救命装置の提供を目的とする。
【課題を解決するための手段】
【０００７】
上記目的を達成すべく、本発明は、装置本体と、前記装置本体内に設けられている地震感知手段と、前記装置本体に取り付けられている照明手段と、前記装置本体に取り付けられていて救援を要請する音声を放送することができる音声放送手段とを備えていることを特徴とする照明手段付地震緊急救命装置を提供する。
【０００８】
また、本発明の照明手段付地震緊急救命装置において、前記音声放送手段は、音声を受信する受信器と、前記受信器が受信した音声を拡大して再生する放送器とを備えていることが好ましい。
【０００９】
また、本発明の照明手段付地震緊急救命装置において、前記照明手段は、前記装置本体から取り外すことができるものであり、前記装置本体から電気の供給を受けて蓄電することができる充電式電池と、前記装置本体から電気の供給を受けて発光することができると共に、前記装置本体から電気の供給を受けずに、前記充電式電池から電気の供給を受けて発光することもできる発光ユニットとを備えていることが好ましい。
【００１０】
また、本発明の照明手段付地震緊急救命装置において、救助隊が要救助地点を特定し易いように、超音波を発射する超音波発生装置を更に備えていることが好ましい。
【００１１】
また、本発明の照明手段付地震緊急救命装置において、前記装置本体内に救助用のロープが収容されていることが好ましい。
【００１２】
また、本発明の照明手段付地震緊急救命装置において、前記発光ユニットは、異なる複数の色の光を切り替えて発することができるように構成されていることが好ましい。
【００１３】
また、本発明の照明手段付地震緊急救命装置において、前記地震感知手段が地震の発生を感知すると、地震の発生を知らせる警報音を鳴らす警報手段を更に備えていることが好ましい。
【発明の効果】
【００１４】
本発明によれば上記構成により、照明手段付地震緊急救命装置は救援を要請する音声を放送することができる音声放送手段を備えているので、遭難者が脱出できない状態になっても、外部に救援を求めることができ、遭難者の生還率を高めることができる。
【図面の簡単な説明】
【００１５】
【図１】本発明装置の実施形態における構成例を示す斜視図である。
【図２】本発明装置の実施形態に係る照明手段の斜視図である。
【図３】本発明装置の実施形態における構成例を示すブロック図である。
【発明を実施するための形態】
【００１６】
以下では各図面を参照しながら、本発明の好ましい実施形態について詳しく説明する。図１は本実施形態の装置構成が示されている斜視図であり、図２は本実施形態が備えている照明手段の斜視図であり、図３はその各部の間の構成関係が示されているブロック図である。
【００１７】
図１に示されているように、本発明の照明手段付地震緊急救命装置の一つの構成例として、装置本体１と、装置本体１に着脱可能に取り付けられている照明手段２と、装置本体１内に設けられている地震感知手段３と、夜間の照明を提供できるように装置本体１に取り付けられているナイトランプ６と、救援を要請する音声を放送することができるように装置本体１に取り付けられている音声放送手段７と、装置本体１内に画成されている収容空間１１０内に収容されている救助用ロープ８とを備えている。
【００１８】
また、図３に示されるように本発明装置は、制御手段５と、警報手段４と、超音波を発射する超音波発生装置９とを有しており、これらは装置本体１に内蔵されているが、図１ではその図示を省略する。
【００１９】
この実施形態において、装置本体１は家庭内で利用され易くするために、例えば底面部を平坦化して机等の上に設置されることができる形状に構成されており、上面に照明手段２が設置されるスロット１３が形成され、底部に収容空間１１０を封止する蓋１０が取り付けられている。蓋１０を取り外すと収容空間１１０内に収容されている救助用ロープ８を取り出して使用することができる。なお、本発明の装置本体１の形状はこれに限らず、例えば壁に設置され易い構成等をとることも可能である。
【００２０】
この実施形態においては、装置本体１に２つの照明手段２が取り付けられている。照明手段２は、装置本体１から取り外して懐中電灯として使用することができるものであり、図３に示されているように、装置本体１から電気の供給を受けて蓄電することができる充電式電池２１４と、装置本体１から電気の供給を受けて発光することができると共に、装置本体１から電気の供給を受けずに、充電式電池２１４から電気の供給を受けて発光することもできる発光ユニット２１３と、装置本体１から電気の供給があるか否かを検知して、発光ユニット２１３に電気を提供する経路を切り替える検知ユニット２１５とを備えている。
【００２１】
また、図２に示されているように、照明手段２は各部材を収容するケース２１１と、ケース２１１に取り付けられていて発光ユニット２１３を保護するカバー２１２と、発光ユニット２１３の点灯を制御するスイッチ２１７と、装置本体１に電気的に接続することができる端子２１６とを備えている。また、この実施形態において発光ユニット２１３は、異なる複数の色の光を切り替えて発することができるよう構成されており、必要に応じて光の色を変えることができる。また、照明手段２は例えば首掛けストラップを更に備えることができ、懐中電灯として使用する時、手で持つ必要がなくなる。
【００２２】
地震感知手段３として、例えば図1に示されているように錘３１の揺動で地震を感知する構成を採用することができ、あるいは他の感知方法を採用することも可能である。地震感知手段３の感知結果は制御手段５に転送され、地震が発生したか否かに関する判断は、制御手段５にて行われる。
【００２３】
警報手段４は制御手段５に電気的に接続されており、地震感知手段３からの感知結果で制御手段５が地震が発生したと判断すると、警報手段４に警報音を鳴らして地震の発生を知らせるように制御する。因みに、制御手段５は警報手段４に警報音を鳴らすと共に、装置本体１に取り付けられている照明手段２やナイトランプ６を点滅させるように制御することも可能である。
【００２４】
この実施形態において、夜間の照明を提供するナイトランプ６は図１に示されているように、２つの発光ユニット６１と、発光ユニット６１を保護するカバー６０と、発光ユニット６１の点灯を制御するスイッチ６２とを備えている。発光ユニット６１は１０〜２０個のＬＥＤ（発光ダイオード）素子を使用しており、赤・緑・青等の異なる色の光を発することができる。そして発光色の異なる素子数の比率を変えることで、全体として更に異なる色の光を発することができる。この実施形態におけるスイッチ６２はボタン式であるが、触覚スイッチを採用することも可能である。
【００２５】
図３に示されているように、音声放送手段７は、音声を受信する受信器（マイクロホン）７３と、受信器７３が受信した音声を拡大して再生する放送器（スピーカー）７２とを備えている上、受信器７３及び放送器７２のＯＮ／ＯＦＦを制御するスイッチ７１と、予め録音された音声を受信器７３に転送する音源装置７０とを備えることができる。この構成により、遭難者はスイッチ７１を操作して受信器７３を経由して、「助けてください」等の救援を求める音声を放送することができると共に、予め録音された音声を周期的に放送器７２で放送することもできる。
【００２６】
この実施形態において、救助用ロープ８は例えば両端にそれぞれフック８１が取り付けられているものであり、遭難者に体力がある場合、自力で脱出する手段として救助用ロープ８を利用することができる。
【００２７】
超音波発生装置９は所定の周波数の超音波を発生するものであり、救助隊が対応の受信機をもっていると、超音波発生装置９から発生した所定の周波数の超音波を辿って超音波発生装置９や照明手段付地震緊急救命装置の位置を特定することができるので、遭難者が照明手段付地震緊急救命装置の傍にいると救助される確率を高めることができる。
【産業上の利用可能性】
【００２８】
上記構成により、本発明の照明手段付地震緊急救命装置は救援を要請する音声を放送することができる音声放送手段を備えているので、遭難者が脱出できない状態になっても、外部に救援を求めることができ、遭難者の生還率を格段に高めることができる。
【符号の説明】
【００２９】
１  装置本体
１０  蓋
１１０  収容空間
１３  スロット
２  照明手段
２１１  ケース
２１２  カバー
２１３  発光ユニット
２１４  充電式電池
２１５  検知ユニット
２１６  端子
２１７  スイッチ
３  地震感知手段
３１  錘
４  警報手段
５  制御手段
６  ナイトランプ
６０  カバー
６１  発光ユニット
６２  スイッチ
７  音声放送手段
７０  音源装置
７１  スイッチ
７２  放送器
７３  受信器
８  救助用ロープ
８１  フック
９  超音波発生装置
【図１】
2014021967.tif 000003
【図２】
2014021967.tif 000004
【図３】
2014021967.tif 000005